(57)【要約】【課題】不正アクセスとデータ流出を抑止可能なＤＬＮＡに対応した機器のアクセスポイント毎の設定に係るユーザの負担を軽減可能なネットワーク接続機器を提供すること。【解決手段】アクセスポイント（ＡＰ）が提供するローカルなネットワークエリアで他の機器と通信するＤＬＮＡに対応したネットワーク接続機器は、当該ネットワーク接続機器が位置する場所で無線通信可能なＡＰを検出するＡＰ検出部と、ＡＰ毎に設定された当該ネットワーク接続機器の公開に関する公開設定情報に基づいて、ＡＰ検出部が検出したＡＰに対応する公開制御を行う公開制御部とを備える。ネットワーク接続機器が特定のＡＰのエリア内に位置するときは当該ネットワーク接続機器を公開しないと設定されているとき、公開制御部は、ＡＰ検出部が検出したＡＰが特定のＡＰであった場合、他の機器の検索要求を行わず、かつ、他の機器からの検索要求を受けてもネットワーク接続機器の公開情報を公開しない。【選択図】図２
2012248954.tif 000002
【特許請求の範囲】
【請求項１】
アクセスポイントが提供するローカルなネットワークエリアで他の機器と通信するＤＬＮＡに対応したネットワーク接続機器であって、
当該ネットワーク接続機器が位置する場所で無線通信可能なアクセスポイントを検出するアクセスポイント検出部と、
アクセスポイント毎に設定された当該ネットワーク接続機器の公開に関する公開設定情報に基づいて、前記アクセスポイント検出部が検出したアクセスポイントに対応する公開制御を行う公開制御部と、を備え、
当該ネットワーク接続機器が特定のアクセスポイントのネットワークエリア内に位置するときは当該ネットワーク接続機器を公開しないと前記公開設定情報に設定されているとき、
前記公開制御部は、
前記アクセスポイント検出部が検出したアクセスポイントが前記特定のアクセスポイント以外のアクセスポイントであった場合、前記他の機器の検索要求を行い、かつ、前記他の機器からの検索要求を受けると当該ネットワーク接続機器の公開情報を公開する一方、
前記アクセスポイント検出部が検出したアクセスポイントが前記特定のアクセスポイントであった場合、前記他の機器の検索要求を行わず、かつ、前記他の機器からの検索要求を受けても当該ネットワーク接続機器の公開情報を公開しないことを特徴とするネットワーク接続機器。
【請求項２】
アクセスポイントが提供するローカルなネットワークエリアで他の機器と通信するＤＬＮＡに対応したネットワーク接続機器であって、
当該ネットワーク接続機器が位置する場所で無線通信可能なアクセスポイントを検出するアクセスポイント検出部と、
アクセスポイント毎に設定された当該ネットワーク接続機器の公開に関する公開設定情報に基づいて、前記アクセスポイント検出部が検出したアクセスポイントに対応する公開制御を行う公開制御部と、
前記他の機器から得られた他機器公開情報に特定の機器の公開情報が含まれるかを判定する特定機器判定部と、を備え、
当該ネットワーク接続機器が特定のアクセスポイントのネットワークエリア内に位置するときは前記特定の機器以外には当該ネットワーク接続機器を公開しないと前記公開設定情報に設定されているとき、
前記公開制御部は、
前記アクセスポイント検出部が検出したアクセスポイントが前記特定のアクセスポイント以外のアクセスポイントであった場合、前記他の機器の検索要求を行い、かつ、前記他の機器からの検索要求を受けると当該ネットワーク接続機器の公開情報を公開する一方、
前記アクセスポイント検出部が検出したアクセスポイントが前記特定のアクセスポイントであった場合、前記他の機器の検索要求を行い、得られた他機器公開情報に前記特定の機器の公開情報が含まれると前記特定機器判定部によって判定されたとき、前記特定の機器に対してのみ当該ネットワーク接続機器の公開情報を公開することを特徴とするネットワーク接続機器。
【請求項３】
請求項２に記載のネットワーク接続機器であって、
前記公開設定情報には、当該ネットワーク接続機器が特定のアクセスポイントのネットワークエリア内に位置するときの当該ネットワーク接続機器の機器名称であって、前記特定の機器の機器名称と共通する非公開時機器名称が設定されており、
前記特定機器判定部は、前記他の機器から得られた他機器公開情報に前記非公開時機器名称が含まれるかを判定することを特徴とするネットワーク接続機器。
【請求項４】
請求項２又は３に記載のネットワーク接続機器であって、
前記特定の機器から得られた他機器公開情報に、前記特定の機器がＤＬＮＡにおけるサーバ機能を有する機器であることが示されている場合、当該ネットワーク接続機器に対するコンテンツのダウンロード要求に対しては、エラー通知又はダミーデータを返すよう処理する処理部を備えたことを特徴とするネットワーク接続機器。
【請求項５】
請求項２〜４のいずれか一項に記載のネットワーク接続機器であって、
前記他の機器から得られた他機器公開情報に前記特定の機器の公開情報が複数含まれると警告を表示するよう処理する警告表示処理部を備えたことを特徴とするネットワーク接続機器。
【発明の詳細な説明】
【技術分野】
【０００１】
本発明は、不正アクセスとデータ流出を抑止可能なネットワーク接続機器に関する。
【背景技術】
【０００２】
近年、写真や音楽、映像等といったコンテンツを、無線ＬＡＮ等を利用したローカルなネットワークエリアで簡単に利用なＤＬＮＡ（Digital Living Network Alliance）に対応した機器が広まりつつある。ＤＬＮＡは、不特定多数の機器との接続を可能にすることを前提に策定されたガイドラインではあるが、プライバシーを保護するための技術は提唱されていない。このため、公共の無線ＬＡＮを利用したＤＬＮＡ通信を行うと、個人のＤＬＮＡサーバ情報又はコンテンツ情報が他人に参照又は使用される可能性がある。
【０００３】
特許文献１に記載の技術によれば、ＤＬＮＡサーバが保持する機能とその機能を利用するクライアント機器をユーザが設定することで、接続するクライアント機器及び提供する機能に制限をかけることができる。例えば、ＤＬＮＡサーバを起動してネットワークに参加した際、ユーザが設定したクライアント機器の情報に存在しないクライアント機器に対しては、ＤＬＮＡサーバの機能を隠蔽し、ダミーの機器通知を当該クライアント機器に対して行う。こうすることで、他のクライアント機器からの不正アクセスを防止することができる。なお、ＤＬＮＡサーバ側でクライアント機器の登録作業を行えば、当該登録されたクライアント機器との接続は可能である。また、特許文献１に記載の技術では、ＤＬＮＡサーバ側で、クライアント機器の接続登録以外に、登録したクライアント機器に対して公開するサービス（サーバ機能）をユーザが機器毎に設定できる。
【先行技術文献】
【特許文献】
【０００４】
【特許文献１】特開２００７−３２４９２１号公報
【発明の概要】
【発明が解決しようとする課題】
【０００５】
上記特許文献１に記載の技術によれば、接続を許可するクライアント機器の登録及び公開するサーバ機能の選択に係る設定がＤＬＮＡサーバ側で完了するまでの間、クライアント機器には、サーバ機能を持たないダミーの機器通知が行われる。このため、クライアント機器側からＤＬＮＡサーバを操作しようとしても、反応が無いかエラーとなる。
【０００６】
また、接続を許可するクライアント機器や公開するサービスに関する設定情報をユーザが全て記憶しているとは限らない。このため、設定に失敗するとユーザがストレスを感じる。また、新たに接続許可するクライアント機器を増やす度に、または、クライアント機器毎のサービスの内容を変更する度に、ユーザが設定を変更する等といった作業は、ユーザにとって負担である。
【０００７】
このように、ＤＬＮＡサーバへの不正アクセスとデータ流出を防ぐためには、ユーザへの負担が犠牲となっていた。すなわち、ＤＬＮＡサーバへの不正アクセスとデータ流出を防ぎつつ、ユーザの負担を減らすことは困難であった。しかし、今後は公共の無線ＬＡＮを介してＤＬＮＡ機能を利用する端末が多く流通することが予想される。このため、利用するネットワーク毎にユーザがＤＬＡサーバの動作設定を容易に変更できることが重要と考えられる。
【０００８】
本発明の目的は、不正アクセスとデータ流出を抑止可能なＤＬＮＡに対応した機器のアクセスポイント毎の設定に係るユーザの負担を軽減可能なネットワーク接続機器を提供することである。
【課題を解決するための手段】
【０００９】
本発明は、アクセスポイントが提供するローカルなネットワークエリアで他の機器と通信するＤＬＮＡに対応したネットワーク接続機器であって、当該ネットワーク接続機器が位置する場所で無線通信可能なアクセスポイントを検出するアクセスポイント検出部と、アクセスポイント毎に設定された当該ネットワーク接続機器の公開に関する公開設定情報に基づいて、前記アクセスポイント検出部が検出したアクセスポイントに対応する公開制御を行う公開制御部と、を備え、当該ネットワーク接続機器が特定のアクセスポイントのネットワークエリア内に位置するときは当該ネットワーク接続機器を公開しないと前記公開設定情報に設定されているとき、前記公開制御部は、前記アクセスポイント検出部が検出したアクセスポイントが前記特定のアクセスポイント以外のアクセスポイントであった場合、前記他の機器の検索要求を行い、かつ、前記他の機器からの検索要求を受けると当該ネットワーク接続機器の公開情報を公開する一方、前記アクセスポイント検出部が検出したアクセスポイントが前記特定のアクセスポイントであった場合、前記他の機器の検索要求を行わず、かつ、前記他の機器からの検索要求を受けても当該ネットワーク接続機器の公開情報を公開しないネットワーク接続機器を提供する。
【００１０】
本発明は、アクセスポイントが提供するローカルなネットワークエリアで他の機器と通信するＤＬＮＡに対応したネットワーク接続機器であって、当該ネットワーク接続機器が位置する場所で無線通信可能なアクセスポイントを検出するアクセスポイント検出部と、アクセスポイント毎に設定された当該ネットワーク接続機器の公開に関する公開設定情報に基づいて、前記アクセスポイント検出部が検出したアクセスポイントに対応する公開制御を行う公開制御部と、前記他の機器から得られた他機器公開情報に特定の機器の公開情報が含まれるかを判定する特定機器判定部と、を備え、当該ネットワーク接続機器が特定のアクセスポイントのネットワークエリア内に位置するときは前記特定の機器以外には当該ネットワーク接続機器を公開しないと前記公開設定情報に設定されているとき、前記公開制御部は、前記アクセスポイント検出部が検出したアクセスポイントが前記特定のアクセスポイント以外のアクセスポイントであった場合、前記他の機器の検索要求を行い、かつ、前記他の機器からの検索要求を受けると当該ネットワーク接続機器の公開情報を公開する一方、前記アクセスポイント検出部が検出したアクセスポイントが前記特定のアクセスポイントであった場合、前記他の機器の検索要求を行い、得られた他機器公開情報に前記特定の機器の公開情報が含まれると前記特定機器判定部によって判定されたとき、前記特定の機器に対してのみ当該ネットワーク接続機器の公開情報を公開するネットワーク接続機器を提供する。
【００１１】
上記ネットワーク接続機器では、前記公開設定情報には、当該ネットワーク接続機器が特定のアクセスポイントのネットワークエリア内に位置するときの当該ネットワーク接続機器の機器名称であって、前記特定の機器の機器名称と共通する非公開時機器名称が設定されており、前記特定機器判定部は、前記他の機器から得られた他機器公開情報に前記非公開時機器名称が含まれるかを判定する。
【００１２】
上記ネットワーク接続機器は、前記特定の機器から得られた他機器公開情報に、前記特定の機器がＤＬＮＡにおけるサーバ機能を有する機器であることが示されている場合、当該ネットワーク接続機器に対するコンテンツのダウンロード要求に対しては、エラー通知又はダミーデータを返すよう処理する処理部を備える。
【００１３】
上記ネットワーク接続機器は、前記他の機器から得られた他機器公開情報に前記特定の機器の公開情報が複数含まれると警告を表示するよう処理する警告表示処理部を備える。
【発明の効果】
【００１４】
本発明に係るネットワーク接続機器によれば、不正アクセスとデータ流出を抑止可能なＤＬＮＡに対応した機器のアクセスポイント毎の設定に係るユーザの負担を軽減できる。
【図面の簡単な説明】
【００１５】
【図１】アクセスポイント（ＡＰ）が提供すローカルなネットワークエリア内にＤＬＮＡに対応した複数の機器が存在する状態の一例を示す図
【図２】第１の実施形態のＤＬＮＡサーバの内部構成、並びに、当該ＤＬＮＡサーバとアクセスポイント及び他機器との関係を示すブロック図
【図３】第２の実施形態のＤＬＮＡサーバの内部構成、並びに、当該ＤＬＮＡサーバとアクセスポイント及び他機器との関係を示すブロック図
【図４】第３の実施形態のＤＬＮＡサーバの内部構成、並びに、当該ＤＬＮＡサーバとアクセスポイント及び他機器との関係を示すブロック図
【図５】第４の実施形態のＤＬＮＡサーバの内部構成、並びに、当該ＤＬＮＡサーバとアクセスポイント及び他機器との関係を示すブロック図
【発明を実施するための形態】
【００１６】
以下、本発明の実施形態について、図面を参照して説明する。図１は、アクセスポイント（ＡＰ）が提供するローカルなネットワークエリア内にＤＬＮＡ（Digital Living Network Alliance）に対応した複数の機器が存在する状態の一例を示す図である。図１に示すように、ＤＬＮＡに対応する機器が有する機能には、ＤＭＳ（Digital Media Server）、ＤＭＲ（Digital Media Renderer）、ＤＭＰ（Digital Media Player）及びＤＭＤ（Digital Media Downloader）等がある。ＤＬＮＡサーバは、ＤＭＳ機能を有する機器である。なお、以下の説明では、ＤＬＮＡに対応する機器を単に「機器」という。
【００１７】
（第１の実施形態）
第１の実施形態では、ＤＬＮＡサーバが位置するアクセスポイントの提供エリアに応じて、当該ＤＬＮＡサーバがＤＭＳ機能を公開するか否かを選択する。
【００１８】
図２は、第１の実施形態のＤＬＮＡサーバの内部構成、並びに、当該ＤＬＮＡサーバとアクセスポイント及び他機器との関係を示すブロック図である。図２に示すように、ＤＬＮＡサーバ１００は、ＡＰ検出部１０１と、情報登録部１０３と、公開設定情報記憶部１０５と、公開制御部１０７と、コンテンツデータ記憶部１０９と、コンテンツデータ送受信部１１１とを備える。
【００１９】
ＡＰ検出部１０１は、本実施形態のＤＬＮＡサーバ１００が位置する場所で無線通信可能なアクセスポイント（ＡＰ）を検出する。ＡＰ検出部１０１は、検出したアクセスポイントの識別子であるＳＳＩＤ（Service Set IDentifier）を情報登録部１０３及び公開制御部１０７に通知する。
【００２０】
情報登録部１０３は、ＡＰ検出部１０１から通知されたＳＳＩＤのアクセスポイントのエリア内にＤＬＮＡサーバ１００が位置するときの当該ＤＬＮＡサーバ１００の公開設定情報を、公開設定情報記憶部１０５に記録する。公開設定情報は、ＤＭＳ機能を公開するか否かであって、ＳＳＩＤ毎にＤＬＮＡサーバ１００のユーザが情報登録部１０３に設定する。公開設定情報記憶部１０５は、情報登録部１０３によって登録された公開設定情報を記憶する。
【００２１】
公開制御部１０７は、ＡＰ検出部１０１から通知されたＳＳＩＤに対応する公開設定情報を公開設定情報記憶部１０５から読み出して、当該公開設定情報が示す設定内容に応じた動作を行う。すなわち、読み出した公開設定情報がＤＭＳ機能の公開を示すとき、公開制御部１０７は、同エリア内に位置する他の機器の検索要求をブロードキャストし、かつ、他の機器からの検索要求を受けると自サーバ公開情報を公開する。一方、読み出した公開設定情報がＤＭＳ機能の非公開を示すとき、公開制御部１０７は、他の機器の検索要求のブロードキャストを行わず、他の機器からの検索要求を受けても自サーバ公開情報を公開しない。
【００２２】
コンテンツデータ記憶部１０９は、写真や音楽、映像等といったコンテンツのデータを記憶する。コンテンツデータ送受信部１１１は、ＤＬＮＡサーバ１００がＤＭＳ機能を公開するよう設定されているとき、コンテンツデータのダウンロード要求を受けた際には、コンテンツデータ記憶部１０９から当該コンテンツデータを読み出して送信したり、他機器からアップロードされたコンテンツデータを受信する。なお、ＤＬＮＡサーバ１００がＤＭＳ機能を公開しないよう設定されているとき、コンテンツデータ送受信部１１１は動作しない。
【００２３】
以上説明したように、本実施形態によれば、本実施形態のＤＬＮＡサーバ１００が、ＤＭＳ機能を公開しないよう設定されたアクセスポイントのエリア内に位置するときは、他の機器の検索要求のブロードキャストを行わず、かつ、他の機器からの検索要求を受けても自サーバ公開情報を公開しない。したがって、特定のアクセスポイントのエリア内に位置しているときは、他機器にその存在が認識されない。その結果、ＤＬＮＡサーバ１００に対する他機器からの不正アクセス及びＤＬＮＡサーバ１００からのデータ流出を防止できる。また、ＤＬＮＡサーバにおけるＤＭＳ機能の公開／非公開はアクセスポイントが提供するエリア毎にユーザが設定可能であり、その設定に係るユーザの負担は軽い。
【００２４】
（第２の実施形態）
第２の実施形態では、ＤＬＮＡサーバがＤＭＳ機能を公開しない設定のとき、当該ＤＬＮＡサーバが予め設定された特定の機器のみに対してはＤＭＳ機能を提供する。
【００２５】
図３は、第２の実施形態のＤＬＮＡサーバの内部構成、並びに、当該ＤＬＮＡサーバとアクセスポイント及び他機器との関係を示すブロック図である。図３に示すように、第２の実施形態のＤＬＮＡサーバ２００は、第１の実施形態のＤＬＮＡサーバ１００が備える構成要素に加えて、非公開時機器名称記憶部２０１と、接続許可機器判定部２０３とをさらに備える。但し、本実施形態の公開制御部２０７は、第１の実施形態の公開制御部１０７と動作が部分的に異なる。この点以外は第１の実施形態と同様であり、図３において、図２と共通する構成要素には同じ参照符号が付されている。
【００２６】
公開制御部２０７は、第１の実施形態と同様に、ＡＰ検出部１０１から通知されたＳＳＩＤに対応する公開設定情報を公開設定情報記憶部１０５から読み出して、当該公開設定情報が示す設定内容に応じた動作を行う。また、公開制御部２０７は、読み出した公開設定情報がＤＭＳ機能の非公開を示すとき、他の機器からの検索要求を受けても自サーバ公開情報を公開しない点では第１の実施形態と同様であるが、他の機器の検索要求のブロードキャストを行い、得られた他機器公開情報を用いて判定された特定の機器に対してのみ自サーバ公開情報を公開する点が第１の実施形態と異なる。なお、公開制御部２０７は、他の機器から他機器公開情報が得られると、当該各情報の機器がＤＬＮＡサーバ２００に接続許可された特定の機器であるかを判定する要求を接続許可機器判定部２０３に対して行う。
【００２７】
非公開時機器名称記憶部２０１は、本実施形態のＤＬＮＡサーバ２００がＤＭＳ機能の非公開時に公開する機器名称（非公開時機器名称）を記憶する。なお、非公開時機器名称は、ＤＬＮＡサーバ２００がＤＭＳ機能の非公開時に当該ＤＬＮＡサーバ２００が接続を許可する機器に付けられた名称と共通する。また、非公開時機器名称記憶部２０１には、ＤＬＮＡサーバ２００のユーザが情報登録部１０３を介して非公開時機器名称を予め記録しておく。
【００２８】
接続許可機器判定部２０３は、ＤＬＮＡサーバ２００への接続を許可する機器の判定要求を公開制御部２０７から受けると、公開制御部２０７が受け取った各他機器公開情報に対応する他機器の中に、非公開時機器名称記憶部２０１から読み出した非公開時機器名称と合致する機器が含まれるかを判定する。非公開時機器名称と合致する機器が含まれない場合、接続許可機器判定部２０３は、その旨を判定結果として公開制御部２０７に通知する。非公開時機器名称と合致する機器が含まれる場合、接続許可機器判定部２０３は、当該合致する機器に関する情報を判定結果として公開制御部２０７に通知する。公開制御部２０７がＤＬＮＡサーバ２００の自サーバ公開情報を公開する機器は、非公開時機器名称と合致する他機器のみである。なお、自サーバ公開情報に含まれる機器名称は、非公開時機器名称である。
【００２９】
以上説明したように、本実施形態によれば、本実施形態のＤＬＮＡサーバ２００が、ＤＭＳ機能を公開しないよう設定されたアクセスポイントのエリア内に位置するときは、他の機器からの検索要求を受けても自サーバ公開情報を公開せず、かつ、他の機器の検索要求のブロードキャストを行い、得られた他機器公開情報を用いて判定された特定の機器に対してのみ自サーバ公開情報を公開する。すなわち、特定のアクセスポイントのエリア内に位置しているときは、他機器にその存在が知られない一方で、特定の機器に対してのみ接続を許可する。したがって、特定の機器との通信は可能な状態で、ＤＬＮＡサーバ２００に対する他機器からの不正アクセス及びＤＬＮＡサーバ２００からのデータ流出を防止できる。また、ＤＬＮＡサーバにおけるＤＭＳ機能の公開／非公開はアクセスポイントが提供するエリア毎にユーザが設定可能であり、また、非公開時機器名称の設定もユーザが自由に設定可能であるため、これらの設定に係るユーザの負担は軽い。
【００３０】
（第３の実施形態）
ＤＬＮＡサーバが特定の機器とだけ接続し、他機器にはその存在も知られない状態であっても、前記特定の機器がＤＭＳ機能を有していれば、他機器が当該特定の機器に接続することができる。このため、特定の機器を介してＤＬＮＡサーバからコンテンツが流出する可能性がある。第３の実施形態では、ＤＬＮＡサーバがＤＭＳ機能を公開しない設定のとき、当該ＤＬＮＡサーバがＤＭＳ機能を提供する特定の機器がＤＭＳ機能を有する場合には、当該特定の機器からコンテンツデータのダウンロード要求を受けてもエラー通知又はダミーデータの送信のみを行う。
【００３１】
図４は、第３の実施形態のＤＬＮＡサーバの内部構成、並びに、当該ＤＬＮＡサーバとアクセスポイント及び他機器との関係を示すブロック図である。図４に示すように、第３の実施形態のＤＬＮＡサーバ３００は、第２の実施形態のＤＬＮＡサーバ２００が備える構成要素に加えて、接続機器公開設定確認部３０１をさらに備える。この点以外は第２の実施形態と同様であり、図４において、図３と共通する構成要素には同じ参照符号が付されている。
【００３２】
接続機器公開設定確認部３０１は、ＤＭＳ機能を公開しないよう設定されたアクセスポイントのエリア内に位置するときであっても接続が許可された特定の機器がＤＭＳ機能を有するか否かを、公開制御部が取得した前記特定の機器の他機器公開情報から判断する。さらに、接続機器公開設定確認部３０１は、ＤＬＮＡサーバ３００がＤＭＳ機能を有する特定の機器からコンテンツデータのダウンロード要求（コンテンツＤＬ要求）を受けると、エラー通知又はダミーデータを返すよう処理する。
【００３３】
したがって、本実施形態によれば、ＤＭＳ機能を有する特定の機器を介したＤＬＮＡサーバ３００からのコンテンツの流出を防止できる。
【００３４】
（第４の実施形態）
第４の実施形態では、ＤＬＮＡサーバがＤＭＳ機能を公開しない設定であるが、予め設定された特定の機器のみに対してはＤＭＳ機能を提供する場合において、特定の機器以外の他の機器の機器名称が非公開時機器名称と一致しているためにＤＬＮＡサーバと接続可能な状態であることを警告する。
【００３５】
図５は、第４の実施形態のＤＬＮＡサーバの内部構成、並びに、当該ＤＬＮＡサーバとアクセスポイント及び他機器との関係を示すブロック図である。図５に示すように、第４の実施形態のＤＬＮＡサーバ４００は、第２の実施形態のＤＬＮＡサーバ２００が備える構成要素に加えて、警告表示処理部４０１をさらに備える。この点以外は第２の実施形態と同様であり、図５において、図３と共通する構成要素には同じ参照符号が付されている。
【００３６】
警告表示処理部４０１は、接続許可機器判定部２０３によってＤＬＮＡサーバ４００と接続可能な特定の機器が複数存在すると判定されたとき、すなわち、非公開時機器名称と合致する機器が複数含まれるとき、想定外の他機器がＤＬＮＡサーバ４００に接続可能な状態であることを示す警告を、図示しないディスプレイに表示するよう処理する。
【００３７】
したがって、本実施形態によれば、ユーザは、ＤＬＮＡサーバ４００に対する想定外の他機器からの不正アクセス及びＤＬＮＡサーバ４００からのデータ流出を防止できる。なお、本実施形態の警告表示処理部４０１を第３の実施形態のＤＬＮＡサーバ３００に設けても良い。
【産業上の利用可能性】
【００３８】
本発明に係るネットワーク接続機器は、不正アクセスとデータ流出を抑止可能なＤＬＮＡに対応した機器のアクセスポイント毎の設定に係るユーザの負担を軽減可能なＤＬＮＡサーバ等として有用である。
【符号の説明】
【００３９】
１００，２００，３００，４００  ＤＬＮＡサーバ
１０１  ＡＰ検出部
１０３  情報登録部
１０５  公開設定情報記憶部
１０７，２０７  公開制御部
１０９  コンテンツデータ記憶部
１１１  コンテンツデータ送受信部
２０１  非公開時機器名称記憶部
２０３  接続許可機器判定部
３０１  接続機器公開設定確認部
４０１  警告表示処理部
【図１】
2012248954.tif 000003
【図２】
2012248954.tif 000004
【図３】
2012248954.tif 000005
【図４】
2012248954.tif 000006
【図５】
2012248954.tif 000007